(57)【要約】【課題】  本発明の目的は、表示部の視認性を向上させ、充電状態の確認をし易くし、作業性の良い充電器を提供することである。【解決手段】  １つのハウジング形成部材２、３に充電状態を表示する表示部９を設け、該表示部９をハウジング形成部材２、３の外郭面より突出して設けた。【選択図】  図３
2008236879.tif 000002
【特許請求の範囲】
【請求項１】
少なくとも２つ以上のハウジング形成部材を有し、内部に空間を形成するハウジングを有する充電器であって、
前記１つのハウジング形成部材に充電状態を表示する表示部を設け、該表示部を前記ハウジング形成部材の外郭面より突出して設けたことを特徴とする充電器。
【請求項２】
該表示部は、前記ハウジング形成部材からの突出形状が多角形であることを特徴とする請求項１記載の充電器。
【請求項３】
前記ハウジング形成部材は前記表示部よりも上方に突出した保護リブを有することを特徴とする請求項１あるいは請求項２記載の充電器。
【請求項４】
ハウジング内に充電状態に応じて点灯状態が変化する照明装置と、前記ハウジングに設けられ、前記照明装置の照明を伝達する表示部とを有する充電器であって、
前記表示部の前記ハウジング外方部分を多角形状としたことを特徴とする充電器。
【発明の詳細な説明】
【技術分野】
【０００１】
本発明は、充電状態を表示する表示部を備えた充電器に関するものである。
【背景技術】
【０００２】
従来の充電器として、上側ハウジングと下側ハウジングとを有し、これら上側ハウジングと下側ハウジングとによってハウジング内空間が画成される充電器がある。
【０００３】
ハウジング内空間には、充放電端子、回路基板及び一端が上側ハウジングを外側から貫通し、ハウジング内部の回路基板まで伸びている表示部などが設けられている。
【０００４】
上側ハウジングの外部には内部の基板まで一端が伸びた表示部に対し、基板までの距離を規制する表示部収納部が形成されており、表示部が配設される。
【０００５】
充電池の充電状態は、回路基板の構成部品である発光ダイオードの発光を表示部の一端が集光し、上側ハウジングに配設された該表示部が２次発光することにより充電状況を確認することができる構成をしている。（例えば、特許文献１参照）
尚、充電状況は、構成部品の発光ダイオードの点灯パターンや複数個使用することにより多々の表示方法がある。
【０００６】
【特許文献１】特開２００６−１４９００６号公報
【発明の開示】
【発明が解決しようとする課題】
【０００７】
上述の従来の充電器では、表示部のハウジング外方端面が、上側ハウジングの外郭面と平面もしくは外郭面よりもハウジング内に位置する構成をしていた。
【０００８】
図８に示すように、表示部９のハウジング外方端部（図示上端）は上側ハウジング２の外郭面とほぼ同一面となるように形成されている構成の場合、ハウジング内に配置された照明装置１２からの光が図に示すような範囲で拡散される。
【０００９】
このような構成をした充電器では、２次発光した表示部９に対し、斜視した場合に視認性が悪く、上方から確認しなければ表示部９の発光状況、すなわち充電状態が確認できなかった。このため、充電状況確認は作業を中断し充電器本体の近くまで移動しなければならなず作業性が悪いものであった。
【００１０】
本発明の目的は、発光した表示部の視認範囲を改善し、作業性の良い充電器を提供することである。
【課題を解決するための手段】
【００１１】
上記目的は、ハウジング形成部材に充電状態を表示する表示部を設け、表示部をハウジング形成部材の外郭面より突出して設けることにより達成することができる。
【００１２】
あるいは、表示部のハウジング外方部分を多角形状とすることにより達成することができる。
【発明の効果】
【００１３】
本発明によれば、表示部の発光状態の視認性を向上し、作業性の良い充電器を提供することができるようになる。
【００１４】
また、表示部のハウジング形成部材からの突出形状が多角形とすることにより、表示部からの光の拡散範囲を広くすることができ、より視認性を向上させることができる。
【００１５】
また、ハウジング形成部材は表示部よりも上方に突出した保護リブを有する構成とすることにより、充電器が転倒するなどして表示部が地面などに近接したとしても、表示部が破損してしまうことを抑制し、長寿命な充電器を提供することができる。
【発明を実施するための最良の形態】
【００１６】
本発明充電器の一実施形態を図１〜図６に基づき説明する。
【００１７】
図１に示されるように、充電器１は、上側ハウジング２と下側ハウジング３とを有しており、上側ハウジング２と下側ハウジング３とによって充電器１のハウジングが構成される。なお、本実施形態において、本発明ハウジング形成部材は、上側ハウジング２と下側ハウジング３からなる。
【００１８】
下側ハウジング３は有底且つ上面全面が開口部をなす略直方体形状をなしている。上側ハウジング２は、下側ハウジング３の開口部を覆うように構成されており、下側ハウジング３の略長方形状をなす当該開口部の長手方向における図１の略右半分には、充電池を充電するときに充電池をセットする充電池セット部４が設けられている。また、同図の略左半分には、充電池の充電状態を表示する充電状態表示部７が設けられている
充電池セット部４は、下側ハウジング３の略長方形状をなす開口部の長辺の一方から他方へと向かう方向、すなわち、図３の右上方向から左下方向へ向かって、下側ハウジング３の方へ接近する方向である下方へ傾斜する傾斜面４Ａを有している。傾斜面４Ａは図２の右上方向から左下方向へ向かって所定の位置まで延出しており、その下方に後述のターミナルカバー５が設けられている。
【００１９】
ターミナルカバー５には、図１等に示されるように、ターミナルカバー内部と上側ハウジング外部を貫通する貫通孔５Ａが、ターミナルカバー５を構成する側壁に３つ形成されている。
【００２０】
また傾斜面４Ａにはスライドレール４Ｂを有しており、スライドレール４Ｂは上側ハウジング２と一体形成されており、傾斜面４Ａの傾斜の上下を結ぶ方向に傾斜面４Ａに平行に延出して設けられている。スライドレール４Ｂは、充電用端子６に図示せぬ充電池の充電用端子を接触させて電気的に接続するために、図示せぬ充電池のレールをスライドレール４Ｂに摺動させて充電用端子６の方向へ充電池の充放電端子を導くことができるように構成されている。
【００２１】
充電器１を用いて図示せぬ充電池を充電する際には、まず、充電池の外周面に設けられているレールの一端を充電器１のスライドレール４Ｂの上端に係合させ、スライドレール４Ｂに沿って充電池を傾斜面４Ａの下方へ向かって摺動させてゆき、図示せぬ充電池の充放電用端子及び信号用端子を充電器１の充電用端子６及び信号用端子８に接触させて電気的に接続した状態とする。このことにより図示せぬ充電池に対する充電が開始される。図示せぬ充電池の充放電用端子は充電池充電端子に相当する。
【００２２】
また、図１の略左半分に配設されている充電状態表示部７は、ハウジング内空間１ａに配設された回路基板上の構成部品である発光ダイオード１２の光を上側ハウジング２の外側に伝達させる表示部９により構成され、該表示部９は上側ハウジング２に形成された外側からハウジング内空間１ａまで貫通する略円筒形状の貫通穴２Ｃを貫通し発光ダイオードの大よそ真上まで達する略円筒形状の脚部９Ａと該貫通穴２Ａを通過せず上側ハウジング２の外側に形成された収納部２Ｂに収納される収納部９Ｂ及び上側ハウジングの収納２Ｂから突出した発光部９Ｃの３形状から形成される。なお、本実施形態において発光ダイオード１２が本発明照明装置を構成する。
【００２３】
収納部１０Ｂおよび発光部９Ｃの断面形状は同形状でもかまわない。
【００２４】
図１（ａ）のように発光部９Ｃの形状は上側ハウジング２の状態表示部７の平面部から凸形状となっているがこの凸形状は、上側ハウジング２に表示部を取り囲むように形成された保護リブ２Ａより低いことが好まれる。（図３の切断図参照）この場合、誤って充電器本体１をひっくり返した場合にも上側ハウジング２の外郭面より突出する発光部９Ｃが該リブ２Ａの働きにより上側ハウジング２よりも先に地面につかない為、発光部９Ｃを傷付から保護することができる。
【００２５】
また、表示部９のハウジング外方端部すなわち発光部９Ｃの形状を図６に示すように多角形にすることにより、発光部の複数面内で光の反射、屈折、干渉効果が発生し、ダイオードより発光される光の拡散角度を増幅することができる。
【００２６】
上記したような構成とすることにより、表示部９の視認性が向上し、容易に充電状態の確認を行うことができ、作業性の良い充電器を提供することができるようになる。
【００２７】
また、表示部９のハウジング外方端部すなわち発光部９Ｃを多角形状とすることにより、照明装置である発光ダイオード１２の光を広範囲に渡って拡散することができるため、表示部９の表示状態の視認性をより向上させることができる。
【００２８】
なお、表示部９の多角形状は、発光ダイオード１２からハウジング外方に向かう方向に対して傾斜した面部分を有していれば良く、この面部分によって前記ハウジング外方に向かう方向から光を屈折させ、拡散することができるものである。
【００２９】
なお、本実施形態では図６に示すように、発光部９Ｃの中心を基準にして対称な複数の面を有する多角形状としたが、不規則に面部分を有する形状としても良い。
【００３０】
また、上側ハウジング２に表示部９を囲うように連続して延びた保護リブ２Ａを設けた構成としたが、複数の突出した保護リブを設けた構成としても良い。なお、上記実施形態のように、保護リブの一部の箇所と保護リブの他の箇所との間に表示部９が位置する構成とすることにより、より表示部９の保護を図ることができるものである。
【００３１】
また、保護リブ２Ａの突出量は、表示部９の突出量よりも大きいことが望ましいが、仮に小さいものであったとしても、保護リブ２Ａを有さない構成よりは表示部９の保護機能を有することとなる。
【００３２】
また、上記実施形態では、表示部９が充電器の上側に向いて延び、上側に向いて発光する構成をしているが、側方に向かって延び側方に向かって発光する構成であっても良い。
【００３３】
次に図８を用いて本発明充電器の他の実施形態を説明する。
【００３４】
上記実施形態では、表示部９のハウジング外方端部が上側ハウジング２の外郭面（上面）よりも突出するようにしたが、本実施形態は、表示部９が上側ハウジング２の外郭面から突出しない構成としたものである。
【００３５】
本実施形態を構成する表示部９は、図に示すように、発光部９Ｃの周囲がすり鉢状に凹んだ形状をしており、また、発光部９Ｃは上記実施形態と同様に多角形状をしている。
【００３６】
このような構成とすることによって、表示部９の保護を図りながら表示部９から発光される光の拡散範囲を広くすることができ、充電状態の確認をし易くし作業性を向上させることができるものである。
【００３７】
なお、上記実施形態では、図に示すように表示部９が２つの脚部９Ｂを有し、１つの部材で２つの種類の表示を行うことができる構成をし、脚部９Ｂ間を繋ぐ箇所を有する形状をしているが、１つの脚部９Ｂのみを有する表示部であってもよい。この場合であって、発光部をハウジング内から突出しない構成とする場合には、発光部周辺の穴部を外方に向かうに従って穴部が大きくなる形状をし、発光部９Ｃ周辺にハウジングの壁面が位置しない構成とすれば、光の発光範囲を広くすることができる。
【図面の簡単な説明】
【００３８】
【図１】本発明充電器の一実施形態を示す前方斜視図。
【図２】図１に示す充電器の後方斜視図。
【図３】図１に示す充電器の展開斜視図。
【図４】図１に示す充電器の平面図。
【図５】図４のＡ−Ａ線断面図。
【図６】本発明を構成する表示図の一実施形態を示す拡大図。
【図７】本発明充電器の他の実施形態を示す要部拡大断面図。
【図８】従来の充電器の一例を示す要部拡大断面図。
【符号の説明】
【００３９】
１  ・・・充電器
１ａ・・・ハウジング内空間
２  ・・・上側ハウジング
２Ａ・・・保護リブ
２Ｂ・・・表示部収納部
２Ｃ・・・貫通穴
３  ・・・下側ハウジング
４  ・・・充電池セット部
４Ａ・・・傾斜面
４Ｂ・・・スライドレール
５  ・・・ターミナルカバー
５Ａ・・・貫通孔
６  ・・・充電用端子
７  ・・・充電状態表示部
８  ・・・信号用端子
９  ・・・表示部
９Ａ・・・表示部の脚部
９Ｂ・・・表示部の収納部
９Ｃ・・・表示部の発光部
９Ｄ・・・表示部のすり鉢形状（図７の別形態時）
１０・・・表示部の視認角度
１１・・・表示部の発光部から保護リブまでの高さ
【図１】
2008236879.tif 000003
【図２】
2008236879.tif 000004
【図３】
2008236879.tif 000005
【図４】
2008236879.tif 000006
【図５】
2008236879.tif 000007
【図６】
2008236879.tif 000008
【図７】
2008236879.tif 000009
【図８】
2008236879.tif 000010